(57)【要約】  【課題】  記録媒体のサブ情報部分をスキップして記録手段に記録するようにした情報記録装置を提供する。  【解決手段】  曲情報のメイン情報と、曲情報以外の無音部分等のサブ情報が記録された記録媒体より情報を読み出して記録し、また記録した情報の読み出しが可能な情報記録装置であって、記録媒体に記録された情報のサブ情報部分を検出し、かつサブ情報部分をスキップして記録手段１０に記録するようにしたので、サブ情報部分が記録手段１０の記録容量を消費することがなくなり、これによって記録手段１０により多くのメイン情報が記録できる等、記録容量の有効活用が図れると共に、記録容量の少ない安価な情報記録装置に、より多くのメイン情報が記録できるため経済的である。【選択図】  図１
2005181522.tif 000002
【特許請求の範囲】
【請求項１】
曲情報のメイン情報と、曲情報以外のサブ情報が記録された記録媒体より情報を読み出して記録し、また記録した前記情報の読み出しが可能な情報記録装置であって、前記記録媒体に記録された情報の前記サブ情報部分を検出し、かつ前記サブ情報部分をスキップして記録手段に記録することを特徴とする情報記録装置。
【請求項２】
前記記録媒体から情報を読み出す際に前記サブ情報部分をスキップし、かつサブ情報部分をスキップした前記メイン情報を前記記録手段に記録するようにしてなる請求項１に記載の情報記録装置。
【請求項３】
前記記録媒体から読み出された情報を記録する際に前記サブ情報部分をスキップし、かつ前記サブ情報部分をスキップした前記メイン情報を前記記録手段に記録するようにしてなる請求項１に記載の情報記録装置。
【発明の詳細な説明】
【技術分野】
【０００１】
本発明は、オーディオＣＤやＤＶＤ等の記録媒体に記録された音楽等の情報（以下メイン情報という）を記録（録音）する際、音楽等の情報以外のマイナスＰ−ＴＩＭＥと称する無音部分や記録する必要がない情報（以下サブ情報という）をスキップして記録するようにした情報記録装置に関する。
【背景技術】
【０００２】
一般にオーディオＣＤとして市販されている記録媒体には、複数のトラック毎に曲情報が記録されており、これら記録媒体に記録された曲情報をフラッシュメモリのような半導体メモリよりなる記録手段に記録することにより、携帯しながら音楽等が楽しめる情報記録装置が普及している（例えば特許文献１参照）。
【０００３】
半導体メモリを記録手段に使用した情報記録装置では、記録手段の容量に制限があることから、できるだけ多くの曲情報が記録手段に記録できるように、曲情報を圧縮して記録手段に記録することが一般に行われているが、より多くの曲情報を記録するため圧縮率を上げると、曲情報を読み出し（再生）した際音質が低下するため、圧縮率を上げるのに限度がある。
【０００４】
一方オーディオＣＤのような記録媒体は、複数のトラックに分けて曲情報を記録しているが、全てのトラックにメイン情報のみが記録されているとは限らず、曲と曲の間には、マイナスＰ−ＴＩＭＥと称する無音時間部分や、ライブ情報を記録した記録媒体では、記録手段に記録する際、あまり必要のない観客の歓声等の情報が記録されたサブ情報部分が存在することがある。
【特許文献１】特開２０００−１９５８２４号公報
【発明の開示】
【発明が解決しようとする課題】
【０００５】
しかし従来の情報記録装置では、記録媒体のトラックにサブ情報があっても、トラックの全てを記録手段に記録しているため、音質の低下を嫌って圧縮率をあまり上げずに記録した場合、サブ情報部分が記録手段の記録容量を消費するため、多くのメイン情報が記録できないという問題がある。
【０００６】
また記録するメイン情報が多くなればなるほどサブ情報部分も多くなることから、記録容量の大きい記録手段を内蔵した高価な情報記録装置を使用しても、記録できる曲数に制限を受ける等の問題がある。
【０００７】
本発明はかかる従来の問題を改善するためになされたもので、記録媒体のサブ情報部分をスキップして記録手段に記録するようにした情報記録装置を提供して、記録手段の有効活用を図ることを目的とするものである。
【課題を解決するための手段】
【０００８】
本発明の情報記録装置は、曲情報のメイン情報と、曲情報以外のサブ情報が記録された記録媒体より情報を読み出して記録し、また記録した情報の読み出しが可能な情報記録装置であって、記録媒体に記録された情報のサブ情報部分を検出し、かつサブ情報部分をスキップして記録手段に記録するようにしたものである。
【０００９】
前記構成により、記録媒体に記録された無音部分や、記録する必要のない観客の歓声等のサブ情報をスキップして記録手段に記録することができるため、サブ情報部分が記録手段の記録容量を消費することがなくなり、これによって記録手段により多くのメイン情報が記録できる等、記録容量の有効活用が図れると共に、記録容量の少ない安価な情報記録装置に、より多くのメイン情報が記録できるため経済的である。
【００１０】
本発明の情報記録装置は、記録媒体から情報を読み出す際にサブ情報部分をスキップし、かつサブ情報部分スキップしたメイン情報を記録手段に記録するようにしたものである。
【００１１】
前記構成により、記録媒体のサブ情報部分をスキップして記録手段に記録することができるため、記録手段の記録容量を有効活用することができる。
【００１２】
本発明の情報記録装置は、記録媒体から読み出された情報を記録する際にサブ情報部分をスキップし、かつサブ情報部分をスキップしたメイン情報を記録手段に記録するようにしたものである。
【００１３】
前記構成により、記録媒体のサブ情報部分をスキップして記録手段に記録することができるため、記録手段の記録容量を有効活用することができる。
【発明の効果】
【００１４】
本発明の情報記録装置によれば、記録媒体のサブ情報部分をスキップして記録手段に記録することができるため、記録手段の記録容量を有効活用することができる上、記録容量の少ない安価な情報記録装置に、より多くのメイン情報が記録できるため経済的である。
【発明を実施するための最良の形態】
【００１５】
本発明の実施の形態を、図面を参照して詳述する。
【００１６】
図１は情報記録装置のブロック図、図２は記録媒体に記録されている情報を記録手段へ記録する際の作用説明図、図３は同フローチャートである。
【００１７】
図１に示す情報記録装置は、チューナ１はマイクロコンピュータよりなる主制御手段２によりＰＬＬ回路３を介して選局等の制御が行えるようになっている。
【００１８】
主制御手段２は、情報記録装置全体を制御するもので、キーを備えた操作手段４と、曲名やトラック番号、曲時間等の各種情報を表示する液晶表示器（ＬＣＤ）よりなる表示手段５がＬＣＤ駆動回路６を介して接続されている。
【００１９】
また主制御手段２とは別に、主制御手段２からの指示により機構モジュール７や、ＤＳＰ（Ｄｉｇｉｔａｌ  Ｓｉｇｎａｌ  Ｐｒｏｃｅｓｓｏｒ）８を制御する機構制御手段９を有している。
【００２０】
機構モジュール７は、オーディオＣＤのような記録媒体を再生して、記録媒体に記録された情報を読み出すもので、機構モジュール７により読み出された情報は、ＤＳＰ８へ送られるようになっている。
【００２１】
ＤＳＰ８にはフラッシュメモリのような不揮発性半導体メモリよりなる記録手段１０が接続されていて、記録媒体より読み出された情報を圧縮して記録手段１０へ記録したり、記録手段１０より読み出した情報を伸長して音量制御回路１１へ出力するようになっている。
【００２２】
音量制御回路１１は主制御手段２の指示により、ＤＳＰ８より出力された情報の音量を制御するようになっており、音量制御回路１１により音量が制御された情報は、増幅回路１２により増幅されてスピーカ１３へ出力されるようになっている。
【００２３】
次に前記構成された情報記録装置の作用を、図２及び図３を参照して説明する。
【００２４】
図２は市販されているオーディオＣＤのような記録媒体の各トラックａ，ｂ，ｃ…を示すもので、各トラックａ，ｂ，ｃ…毎に曲情報が記録されているが、各トラックａ，ｂ，ｃ…の例えばトラックｂの頭にサブ情報部分（マイナスＰ−ＴＩＭＥ）がある記録媒体に記録されている曲情報を記録手段１０に記録する場合について説明する。
【００２５】
いま図３に示すフローチャートにより記録（録音）を開始すべく操作手段４を操作すると、主制御手段２はステップＳ１で、はじめのトラックａにサブ情報部分があるかを判断し、ない場合はステップＳ２へ進む。
【００２６】
そしてステップＳ２で機構制御手段９へ指示を出して、機構モジュール７による記録媒体からの情報の読み出し（再生）を開始すると同時に、読み出した情報をＤＳＰ８で圧縮して記録手段１０へ記録したら、ステップＳ３へ進む。
【００２７】
ステップＳ３ではトラックａの記録が完了したかを判断し、完了した場合は、ステップＳ１へ戻って、次のトラックｂにサブ情報部分があるかを判断する。
【００２８】
トラックｂには頭の部分にサブ情報部分（マイナスＰ−ＴＩＭＥ）があるので、ステップＳ４へ進んで、マイナスＰ−ＴＩＭＥがプラスＰ−ＴＩＭＥになるまでサブ情報部分をスキップする。
【００２９】
また表示手段５に表示される曲時間は、サブ情報部分がない状態では、「００：００」、「００：０１」、「００：０２」、「００：０３」…と１秒毎に変化するが、サブ情報部分がある場合は「−００：０２」、「−００：０１」、「００：００」、「００：０１」、「００：０２」…と１秒毎に変化し、サブ情報部分が２秒間あったことを表示する。
【００３０】
ステップ４でサブ情報部分をスキップしたら、ステップＳ３へ進んでトラックｂの記録が完了したかを判断するが、まだ完了していないのでステップＳ１へ戻ってサブ情報部分があるかを再度判断する。
【００３１】
このときサブ情報部分はすでにスキップしているので、ステップＳ２へ進んでトラックｂのメイン情報部分を読み出し（再生）と記録手段１０への記録を開始する。
【００３２】
そして記録時に全てのトラックａ，ｂ，ｃ…を記録するよう操作手段４より指示されている場合は、全トラックａ，ｂ，ｃ…について前記フローを繰り返し、また指定トラックａ，ｂ，ｃ…のみを記録するように操作手段４より指示されている場合は、指定トラックａ，ｂ，ｃ…の全てが記録手段１０へ記録されるまで前記フローを繰り返す。
【００３３】
その後ステップＳ３で全てのトラックａ，ｂ，ｃ…または指定トラックａ，ｂ，ｃ…の全てが記録されたと判断されたところで記録を終了するもので、以上の動作により各トラックａ，ｂ，ｃ…に記録されている情報の無音部分や、観客の歓声のように記録が不要な部分、すなわちサブ情報が自動的にカットされて、メイン情報のみが記録手段１０へ記録されるため、記録容量に制限のある記録手段１０にも、より多くのメイン情報を記録できるようになり、記録手段１０の記録容量の有効活用が図れるようになる。
【００３４】
なお前記フローチャートのステップＳ４では、機構モジュール７側は通常通り記録媒体からの情報の読み出し（再生）を行い、記録手段１０側で無音部分の記録をスキップするようにしているが、機構モジュール７側で無音部分を読み出し（再生）をスキップし、記録手段１０側は通常通りの記録動作を行うようにしてもよい。
【産業上の利用可能性】
【００３５】
本発明の情報記録装置は、ＣＤやＤＶＤ等の記録媒体に記録されているオーディオ情報を記録するのみならず、映像が記録された記録媒体より映像情報を記録する情報記録装置にも適用できる。
【図面の簡単な説明】
【００３６】
【図１】本発明の実施の形態になる情報記録装置のブロック図である。
【図２】本発明の実施の形態になる情報記録装置の作用を示す説明図である。
【図３】本発明の実施の形態になる情報記録装置の作用を示すフローチャートである。
【符号の説明】
【００３７】
２      主制御手段
７      機構モジュール
８      ＤＳＰ
９      機構制御手段
１０      記録手段
【図１】
2005181522.tif 000003
【図２】
2005181522.tif 000004
【図３】
2005181522.tif 000005